【事件の表示】
　特願２０１２−１４８７１３号「遊技機」拒絶査定不服審判事件〔平成２６年　１月２０日出願公開、特開２０１４−　　８３３３号〕について、次のとおり審決する。
【結　論】
　本件審判の請求は、成り立たない。
【理　由】
第１　手続の経緯
　本願は、平成２４年７月２日の出願であって、平成２６年６月１６日付けで拒絶理由通知がなされ、平成２６年８月２２日付けで手続補正がなされたが、平成２７年４月２８日付けで拒絶査定がなされ、これに対し平成２７年８月１１日付けで拒絶査定不服審判の請求がなされるとともに、これと同時に手続補正がなされたものである。
第２　平成２７年８月１１日付けの手続補正についての補正却下の決定
［補正却下の決定の結論］
　平成２７年８月１１日付けの手続補正を却下する。
［理由］
１．補正の概要
　平成２７年８月１１日付けの手続補正（以下、「本件補正」という。）は、特許請求の範囲の請求項１の記載の補正を含む補正であり、特許請求の範囲の請求項１は、
　補正前（平成２６年８月２２日付け手続補正）の
「【請求項１】
　遊技者による開始操作が行われることに基づいて複数列の図柄を変動させて行う１回の遊技が図柄表示手段で開始され、１回の遊技の開始に基づき各列の図柄の変動が開始された後、遊技者による停止操作に基づいて対応する列の図柄が停止される遊技機において、
　遊技に関連して移行条件の成立を許容するか否かを決定する条件許容手段と、
　前記条件許容手段が前記移行条件の成立を許容する場合に、前記移行条件の成立を契機として遊技者に有利な状態での遊技となる有利遊技状態に制御する制御手段と、
　前記開始操作に基づいて当選役として特定入賞の発生を許容する特定入賞役を含む複数種類の入賞役の中から決定する当選役決定手段と、
　前記図柄表示手段に表示結果を導出させるための前記停止操作を受付ける導出操作受付手段と、
　前記当選役決定手段の決定結果及び前記導出操作受付手段が受付けた前記停止操作に応じて前記図柄表示手段に表示結果を導出させる制御を行う手段であって、前記特定入賞役の決定がなされる場合、該特定入賞役の決定がなされることに対応して決定される特定の停止操作と前記導出操作受付手段が受付けた停止操作との一致を条件に特定停止態様による表示結果を導出させる一方、前記特定の停止操作と前記導出操作受付手段が受付けた停止操作との不一致を条件に通常停止態様による表示結果を導出させる導出制御手段と、
　前記図柄表示手段に導出される表示結果に基づいて賞を遊技者に付与する制御を行う賞付与手段と、
　前記有利遊技状態の制御中、前記特定入賞役の決定がなされる場合に前記導出操作受付手段が受付けた停止操作が特定の停止操作と一致した一致回数を計数する計数手段と、
　前記有利遊技状態の制御中であることを特定可能な制御信号を遊技機外部に対して出力する信号出力手段と、を備え、
　前記導出制御手段は、前記特定入賞役について、前記特定停止態様による表示結果、及び前記通常停止態様による表示結果として同一の表示結果を導出させるように制御し、
　前記賞付与手段は、前記特定停止態様による入賞及び前記通常停止態様による入賞に対して同一の賞を遊技者に付与するように制御し、
　前記信号出力手段は、前記移行条件の成立後であって、前記有利遊技状態の制御中の前記一致回数が所定回数に達する特定条件の成立を契機として前記制御信号を出力することを特徴とする遊技機。」
から、
　補正後（本件補正：平成２７年８月１１日付けの手続補正）の
「【請求項１】
　遊技者による開始操作が行われることに基づいて複数列の図柄を変動させて行う１回の遊技が図柄表示手段で開始され、１回の遊技の開始に基づき各列の図柄の変動が開始された後、遊技者による停止操作に基づいて対応する列の図柄が停止される遊技機において、
　遊技に関連して移行条件の成立を許容するか否かを決定する条件許容手段と、
　前記条件許容手段が前記移行条件の成立を許容する場合に、前記移行条件の成立を契機として
、通常遊技状態に比して
　前記開始操作に基づいて当選役として特定入賞の発生を許容する特定入賞役を含む複数種類の入賞役の中から決定する当選役決定手段と、
　前記図柄表示手段に表示結果を導出させるための前記停止操作を受付ける導出操作受付手段と、
　前記当選役決定手段の決定結果及び前記導出操作受付手段が受付けた前記停止操作に応じて前記図柄表示手段に表示結果を導出させる制御を行う手段であって、前記特定入賞役の決定がなされる場合、該特定入賞役の決定がなされることに対応して決定される特定の停止操作と前記導出操作受付手段が受付けた停止操作との一致を条件に特定停止態様による表示結果を導出させる一方、前記特定の停止操作と前記導出操作受付手段が受付けた停止操作との不一致を条件に通常停止態様による表示結果を導出させる導出制御手段と、
　前記図柄表示手段に導出される表示結果に基づいて賞を遊技者に付与する制御を行う賞付与手段と、
　前記有利遊技状態の制御中、前記特定入賞役の決定がなされる場合に前記導出操作受付手段が受付けた停止操作が特定の停止操作と一致した一致回数を計数する計数手段と、
　前記有利遊技状態の制御中であることを特定可能な制御信号を遊技機外部に対して出力する信号出力手段と、を備え、
　
前記有利遊技状態には、第１有利遊技状態と、前記第１有利遊技状態とは異なる第２有利遊技状態と、があり、
　前記導出制御手段は、前記特定入賞役について、前記特定停止態様による表示結果、及び前記通常停止態様による表示結果として同一の表示結果を導出させるように制御し、
　前記賞付与手段は、前記特定停止態様による入賞及び前記通常停止態様による入賞に対して同一の賞を遊技者に付与するように制御し、
　前記信号出力手段は、前記移行条件の成立後であって、前記有利遊技状態の
うち前記第２有利遊技状態の
における
へ補正された（下線部は補正箇所を示す。）。
２．補正の適否
　本件補正のうち「通常遊技状態に比して」を追加する補正は、補正前の「遊技者に有利な状態での遊技となる有利遊技状態」を「通常遊技状態に比して」「遊技者に有利な状態での遊技となる有利遊技状態」に限定するものであり、特許請求の範囲の減縮に該当する。
　次に、本件補正のうち「前記有利遊技状態には、第１有利遊技状態と、前記第１有利遊技状態とは異なる第２有利遊技状態と、があり」を追加する補正は、「有利遊技状態」が「第１有利遊技状態」と「第２有利遊技状態」を有することを限定するものであり、特許請求の範囲の減縮に該当する。
　また、本件補正のうち、補正前の「前記有利遊技状態の制御中の前記一致回数」を、補正後の「前記有利遊技状態の
うち前記第２有利遊技状態の
における
　よって、本件補正は、特許法第１７条の２第５項第２号の特許請求の範囲の減縮を目的とするものに該当する。
　さらに、本件補正は、新規事項を追加するものではない。
３．独立特許要件
　補正後の請求項１に記載された発明（以下、「本件補正発明」という。）が特許出願の際に独立して特許を受けることができるものであるか否か（特許法第１７条の２第６項において準用する同法第１２６条第７項の規定に適合するか否か）を検討する。
（１）本件補正発明
　本件補正発明は、上記１に記載したとおりのものである。
（２）刊行物
　原査定の拒絶の理由において提示された、本願の出願前に頒布された刊行物である特開２０１２−２４２２１号公報（以下、「刊行物１」という。）には、図面と共に次の事項が記載されている（下線は審決にて付した。以下、同じ。）。
ア　「【０００１】
　本発明は、スロットマシン（パチスロ）、パチンコに代表される遊技台に関する。」
イ　「【００１２】
　図１に示すスロットマシン１００は、本体１０１と、本体１０１の正面に取付けられ、本体１０１に対して開閉可能な前面扉１０２と、を備える。本体１０１の中央内部には、（図示省略）
外周面に複数種類の図柄が配置されたリール
ウ　「【００１９】
　スタートレバー１３５は、リール１１０〜１１２の回転を開始させるためのレバー型のスイッチである。すなわち、メダル投入口１４１に所望するメダル枚数を投入するか、ベットボタン１３０〜１３２を操作して、
スタートレバー１３５を操作すると、リール１１０〜１１２が回転を開始
【００２０】
　ストップボタンユニット１３６には、ストップボタン１３７〜１３９が設けられている。
ストップボタン１３７〜１３９は、
回転を開始したリール１１０〜１１２を個別に停止させる
ストップボタン１３７〜１３９に対する
停止操作
エ　「【００２７】
　スロットマシン１００の制御部は、大別すると、遊技の進行を制御する
主制御部３００
第１副制御部４００
オ　「【００３１】
　なお、
センサ回路３２０がスタートレバーセンサのＨレベルを検出した場合には、この検出を示す信号を乱数発生回路３１６に出力
乱数発生回路３１６は、そのタイミングにおける値をラッチし、抽選に使用する乱数値を格納
カ　「【００５０】
　本実施形態では、外部信号１は、遊技状態がＲＢ（レギュラーボーナス）中であること（ＢＢ中のＲＢを含む）を示すＲＢ信号として、外部信号２は、遊技状態がＢＢ１（ビッグボーナス１）中であることを示すＢＢ１信号として、外部信号３は、遊技状態がＢＢ２（ビッグボーナス２）中であることを示すＢＢ２信号として設定されている。また、
外部信号４は、
第１副制御部４００がＡＴ（アシストタイム）状態であることを示すＡＴ信号として設定されている
ＡＴ状態は１つまたは複数のセット（連続するＡＴ遊技の単位をいう）から構成されている
主制御部３００は、
ＡＴ状態であると判断をした場合に上記ＡＴ信号を出力する
キ　「【００５７】
　スロットマシン１００の
入賞役には、ビッグボーナス（ＢＢ）と、シングルボーナス（ＳＢ）と、小役（小役１〜小役６）と、再遊技役（再遊技１〜再遊技４）がある。
ク　「【００６５】
＜役の内部当選確率＞
　次に、図７を用いて、役の内部当選確率について説明する。なお、同図は、設定Ｎにおける入賞役の内部当選確率の一例を遊技状態別に示した図であり、各遊技状態における入賞役の抽選テーブルの内容を示している。詳しくは後述するが、本実施形態では、大別して、ＲＴ０〜ＲＴ３の４つの遊技状態（ＲＴモードともいう）が存在する。なお、
ＲＴ０は、
再遊技低確率状態
ＲＴ１
再遊技高確率状態
ケ　「【００７７】
　本実施形態ではいわゆる引込制御（コマ滑り制御）を行う。引込制御とは、遊技者による各ストップボタン１３７〜１３９の操作があってから一定のコマ数（図柄数）の範囲（ここでは最大４コマ）でリール１１０〜１１２の停止位置をずらす制御をいう。リール停止データは主制御部３００のＲＯＭ３０６に格納されている。各リール停止データは、所定の入賞役の図柄組合せが入賞ライン１１４上に揃って表示されることを許容する許容制御と、いずれの入賞役の図柄組合せも入賞ライン１１４上に揃って表示されない禁止制御と、に大別される。
・・・
【００８０】
　尤も、リール１１０〜１１２における図柄の配置と引き込みコマ数次第で１００％揃う場合もある。例えば、再遊技役１（リプレイ）に対応する、リプレイ図柄の配置間隔は最大４コマであり、再遊技役１に内部当選すると、そのタイミングに関わらず１００％入賞することになる。」
コ　「【００８６】
＜再遊技高確率状態（ＲＴ１）＞
　再遊技高確率状態（ＲＴ１）は、再遊技役の内部当選確率が、再遊技低確率状態（ＲＴ０）における再遊技役の内部当選確率よりも上昇した遊技状態である。従って、本実施形態の再遊技高確率状態（ＲＴ１）は、メダルを投入せずに遊技を継続できる確率が高くなっているため、再遊技低確率状態（ＲＴ０）に比べて遊技者に有利な遊技状態となっている。ここで、本実施形態における有利度とは、具体的には、所定期間の遊技を行ったときに遊技者が賭け数として遊技台に使用した遊技媒体の総数に対して、遊技台が払い出した遊技媒体の総数の割合、いわゆる払出率のことをいい、再遊技低確率状態（ＲＴ０）に比べて遊技者に有利とは、再遊技低確率状態（ＲＴ０）よりも払出率が大きいことを意味する。」
サ　「【００９２】
＜第１副制御部の遊技状態、及び停止ボタンナビ演出＞
　詳しくは後述するが、
第１副制御部４００は、
遊技者にとって有利となる情報を報知するＡＴ状態となる
ＡＴ状態においては、演出画像表示装置１５７を用いて、停止操作に関するナビ演出、すなわち、停止操作順序や停止操作タイミング（内部当選した役の示唆）を報知する停止ボタンナビ演出を行う
【００９３】
　具体的には、本実施形態では、
ＲＴ０（再遊技低確率状態）において特別役２（ＳＢ）に内部当選した場合には、
停止ボタンナビ演出を実行し、ＲＴ１（再遊技高確率状態）への移行を手助けする。
・・・
【００９５】
　また、
ＲＴ１（再遊技高確率状態）において押し順リプレイ（「再遊技役１、２」、「再遊技役１、２、３」、「再遊技役１、２、４」）のいずれかに内部当選した場合には、パンクリプレイ（再遊技役２）に対応する図柄組み合わせが有効ライン上に表示されることを回避する停止操作順序の報知を行う停止ボタンナビ演出を実行し、ＲＴ１（再遊技高確率状態）の状態維持を手助けする。
シ　「【０１００】
  ＜補助信号用ナビ、ＡＴ状態特定機能＞
　さらには、本実施形態の
ＡＴ状態では、ＲＴ１（再遊技高確率状態）において通常リプレイ（再遊技役１）に内部当選した場合には、主制御部３００から送信された停止操作順序（具体的には第１停止操作に関する情報）に沿った停止ボタンナビ演出を行う
ス　「【０１０３】
　まず、ＲＴ１（再遊技高確率状態）において
通常リプレイ（再遊技役１）に内部当選した場合
主制御部３００は、
所定の停止操作順序を決定し
通常リプレイ（再遊技役１）は、停止操作順序に依存しない入賞役（いずれの停止操作順序でも入賞する役）である
セ　「【０１０６】
　次に、
主制御部３００は、遊技者による実際の停止操作順序と、送信した停止操作順序が一致するか否かを判定し、一致した場合には、第１副制御部４００はＡＴ状態であると判断し、ＡＴ信号を出力する
複数回（具体的には３回）連続して一致した場合に、ＡＴ状態であると判断
ＲＴ１（再遊技高確率状態）の通常リプレイに内部当選した場合において、連続して３回、停止操作順序に関する指示と遊技者の実際の停止操作順序が一致した場合には、
第１副制御部４００はＡＴ状態であると判断する
ソ　「【０１１３】
＜主制御部メイン処理＞
　次に、図１２を用いて、主制御部３００のメイン処理について説明する。なお、同図は、主制御部３００のメイン処理の流れを示すフローチャートである。」
タ　「【０１１８】
　ステップＳ１０４では乱数発生回路３１６で発生させた乱数を取得する。」
チ　「【０１２３】
　ステップＳ１０９では、入賞判定を行う。ここでは、有効化された入賞ライン１１４上に、何らかの
入賞役に対応する図柄組合せが表示され
【０１２４】
　ステップＳ１１０では、メダル払出処理を行う。この
メダル払出処理では、払い出しのある何らかの入賞役に入賞していれば、その入賞役に対応する枚数のメダルを払い出
ツ　「【０１２９】
　ステップＳ２０１では、入賞役内部抽選を実行する。具体的には、現在の遊技状態に応じてＲＯＭ３０６に格納されている入賞役抽選テーブルを読み出し、これとステップＳ１０４で取得した
乱数値とを用いて内部抽選を行
テ　「【０２０１】
＜第１副制御部４００の処理＞
　図２２を用いて、第１副制御部４００の処理について説明する。なお、同図（ａ）は、第１副制御部４００のＣＰＵ４０４が実行するメイン処理のフローチャートである。同図（ｂ）は、第１副制御部４００のコマンド処理のフローチャートであり、同図（ｃ）は、第１副制御部４００のコマンド受信割込処理のフローチャートであり、同図（ｄ）は、第１副制御部４００のタイマ割込処理のフローチャートである。」
ト　「【０２１７】
＜演出設定処理＞
　次に、図２３を用いて、演出設定処理について説明する。演出設定処理は、図２２（ｂ）のステップＳ１１０２において、未処理コマンドが演出情報コマンドである場合に実行されるイベント処理である。なお、同図は、演出設定処理の流れを示すフローチャートである。
【０２１８】
　ステップＳ１４０１では、
ＡＴ遊技を付与するか否かを決定するＡＴ抽選処理
ナ　「【０２２８】
　ステップＳ１５０５では、小役６（１枚小役）が当選したか否かを判定する。具体的には、受信した演出情報コマンドが示す内部当選情報（条件装置の抽選コード）が小役６の当選情報であるか否かを判定する。
小役６が当選した場合には、ステップＳ１５０６に進み
【０２２９】
　
ステップＳ１５０６では、ＡＴ遊技を付与するか否かを抽選により決定するＡＴ抽選を実行する。
ニ　「【０２３４】
　以上から、本実施形態では、ＢＢ遊技状態（ＲＴ３）においては、小役６またはハズレに当選したときにＡＴ遊技が付与され、また、
ＢＢ遊技状態（ＲＴ３）以外の遊技状態においては、小役６に当選し、かつＡＴ抽選に当選したときにＡＴ遊技が付与され
ヌ　「【０３６８】
＜実施形態のまとめ＞
　以上述べたように、本実施形態の遊技台（例えば、スロットマシン１００）によれば、少なくとも、遊技の進行に関する制御を行う主制御手段（例えば、主制御部３００、主制御部３００により制御される装置など）と、前記主制御手段と一方向通信で構成され、前記主制御手段から送信された情報に基づいて、遊技に関する演出を制御する副制御手段（例えば、第１制御部４００、第２制御部５００、第１制御部４００及び第２制御部５００により制御される装置など）と、を備えた遊技台であって、前記主制御手段は、複数種類の図柄が施され、回転駆動される複数のリール（例えば、リール１１０〜１１２）と、
予め定められた複数種類の役の内部当選の当否を抽選により判定する抽選手段
主制御部３００
複数のリールの回転を個別に停止させる複数の停止ボタン（例えば、ストップボタン１３７〜１３９）と、前記複数の停止ボタンに対する各停止操作を受け付ける停止操作受付手段
主制御部３００
と、前記抽選手段の抽選結果及び前記停止操作受付手段による停止操作に基づいて、前記複数のリールの回転の停止に関する停止制御を行う停止制御手段
主制御部３００
ネ　上記テの段落【０２０１】、上記トの段落【０２１７】、【０２１８】及び図２２（ｂ）、図２３の記載より、ＡＴ抽選処理は第１副制御部４００により実行されているものと認められる。
ノ　上記ソの段落【０１１３】及び図１２の記載より、メダル払出し処理は、主制御部３００により実行されているものと認められる。
ハ　上記ア〜ヌの記載事項及び上記ネ、ノの認定事項から、刊行物１には以下の発明（以下、「引用発明」という。）が記載されていると認められる。
「スタートレバー１３５を操作すると、外周面に複数種類の図柄が配置されたリール１１０〜１１２が回転を開始し、ストップボタン１３７〜１３９に対する停止操作により回転を開始したリール１１０〜１１２を個別に停止させる遊技機において、
　主制御部３００と第１副制御部４００とを備え、
　第１副制御部４００は、
　ＢＢ遊技状態（ＲＴ３）以外の遊技状態（ＲＴ０（再遊技低確率状態）、ＲＴ１（再遊技高確率状態）又はＲＴ２（特別役１内部当選状態））においては、小役６が当選した場合には、ＡＴ状態を付与するか否かを抽選により決定するＡＴ抽選処理を実行し、
　ＢＢ遊技状態（ＲＴ３）以外の遊技状態（ＲＴ０（再遊技低確率状態）、ＲＴ１（再遊技高確率状態）又はＲＴ２（特別役１内部当選状態））においては、ＡＴ抽選に当選したときに、遊技者にとって有利となる情報を報知するＡＴ状態となるようにし、
　主制御部３００は、
　センサ回路３２０がスタートレバーセンサのＨレベルを検出した場合には、この検出を示す信号を乱数発生回路３１６に出力し、乱数発生回路３１６は、そのタイミングにおける値をラッチし、抽選に使用する乱数値を格納し、乱数値を用いて内部抽選を行い、再遊技役（再遊技１〜再遊技４）を含む予め定められた複数種類の役の内部当選の当否を抽選により判定する抽選手段を備え、
　複数のリールの回転を個別に停止させる複数の停止ボタンに対する各停止操作を受け付ける停止操作受付手段を備え、
　通常リプレイ（再遊技役１）に内部当選した場合、所定の停止操作順序を決定し、通常リプレイ（再遊技役１）は、いずれの停止操作順序でも入賞させ、抽選手段の抽選結果及び停止操作受付手段が受け付けた停止操作に基づいて、複数のリールの回転の停止に関する停止制御を行う停止制御手段を備え、
　入賞役に対応する図柄組合せが表示され、払い出しのある何らかの入賞役に入賞していれば、その入賞役に対応する枚数のメダルを払い出すメダル払出処理を実行し、
　第１副制御部４００は、ＡＴ状態では、ＲＴ１（再遊技高確率状態）において通常リプレイ（再遊技役１）に内部当選した場合には、主制御部３００から送信された停止操作順序（具体的には第１停止操作に関する情報）に沿った停止ボタンナビ演出を行い、主制御部３００は、ＲＴ１（再遊技高確率状態）の通常リプレイに内部当選した場合において、連続して３回、停止操作順序に関する指示と停止操作受付手段により受け付ける遊技者の実際の停止操作順序が一致した場合には、ＡＴ状態であると判断し、
　ＡＴ状態であると判断をした場合にＡＴ状態であることを示すＡＴ信号として設定されている外部信号４を出力し、
　第１副制御部４００は、ＡＴ状態においては、ＲＴ０（再遊技低確率状態）において特別役２（ＳＢ）に内部当選した場合には、停止ボタンナビ演出を実行し、ＲＴ１（再遊技高確率状態）において通常リプレイ（再遊技役１）に内部当選した場合には、主制御部３００から送信された停止操作順序（具体的には第１停止操作に関する情報）に沿った停止ボタンナビ演出を行い、主制御部３００は、ＲＴ１（再遊技高確率状態）の通常リプレイに内部当選した場合において、連続して３回、停止操作順序に関する指示と停止操作受付手段により受け付ける遊技者の実際の停止操作順序が一致した場合には、ＡＴ状態であると判断し、ＡＴ状態であると判断をした場合にＡＴ状態であることを示すＡＴ信号として設定されている外部信号４を出力する遊技機。」
（３）対比・判断
　本件補正発明と引用発明とを対比する。
ア　引用発明の「スタートレバー１３５」は、遊技者により操作されることは明らかで、「スタートレバー１３５」の「操作」は、ゲームの開始操作であるので、「スタートレバー１３５を操作すると」は、本件補正発明の「遊技者による開始操作が行われることに基づいて」に相当する。また、「外周面に複数種類の図柄が配置されたリール１１０〜１１２が回転を開始し」は、本件補正発明の「複数列の図柄を変動させ」に相当する。ここで、引用発明において、リール１１０〜１１２が回転を開始し、停止されるまでが「１回の遊技」であること、「停止操作」が遊技者により行われることは明らかある。
　したがって、引用発明の「スタートレバー１３５を操作すると、外周面に複数種類の図柄が配置されたリール１１０〜１１２が回転を開始し、ストップボタン１３７〜１３９に対する停止操作により回転を開始したリール１１０〜１１２を個別に停止させる遊技機」は、本件補正発明の「遊技者による開始操作が行われることに基づいて複数列の図柄を変動させて行う１回の遊技が図柄表示手段で開始され、１回の遊技の開始に基づき各列の図柄の変動が開始された後、遊技者による停止操作に基づいて対応する列の図柄が停止される遊技機」に相当する。
イ　本件補正発明の「移行」を、引用発明においては「ＡＴ状態」への移行とすると、引用発明の「ＢＢ遊技状態（ＲＴ３）以外の遊技状態（ＲＴ０（再遊技低確率状態）、ＲＴ１（再遊技高確率状態）又はＲＴ２（特別役１内部当選状態））において、小役６が当選した場合には、ＡＴ状態を付与するか否かを抽選により決定するＡＴ抽選処理」により、「ＡＴ状態」が付与されることは、本件補正発明の「移行条件の成立を許容する」に相当する。すると、当該「ＡＴ抽選処理」を実行する「第１副制御部４００」は、本件補正発明の「条件許容手段」の機能を備えているといえる。
　したがって、引用発明の「ＢＢ遊技状態（ＲＴ３）以外の遊技状態（ＲＴ０（再遊技低確率状態）、ＲＴ１（再遊技高確率状態）又はＲＴ２（特別役１内部当選状態））においては、小役６が当選した場合には、ＡＴ状態を付与するか否かを抽選により決定するＡＴ抽選処理を実行する第１副制御部４００」は、本件補正発明の「遊技に関連して移行条件の成立を許容するか否かを決定する条件許容手段」としての機能を有する。
ウ　引用発明における「ＲＴ０（再遊技低確率状態）」かつ「ＡＴ状態」でない状態は、本件補正発明における「通常遊技状態」に相当する。また、引用発明の「ＡＴ抽選に当選したとき」は、本件補正発明の「移行条件の成立を許容する場合」であり（上記イ参照）、かつ、「移行条件の成立を契機」とすることでもある。したがって、引用発明の「ＡＴ抽選に当選したとき」は、本件補正発明の「前記条件許容手段が前記移行条件の成立を許容する場合に、前記移行条件の成立を契機とすること」に相当する。
　さらに、引用発明において、ＢＢ遊技状態（ＲＴ３）以外の「ＲＴ０（再遊技低確率状態）」又は「ＲＴ１（再遊技高確率状態）」の状態で、ＡＴ状態となった場合、「ＲＴ０（再遊技低確率状態）」又は「ＲＴ１（再遊技高確率状態）」の状態で、「遊技者にとって有利となる情報を報知する」のであるから、これらの状態は、「ＲＴ０（再遊技低確率状態）」かつ「ＡＴ状態」でない状態（通常遊技状態）に比して、遊技者に有利な状態である「有利遊技状態」となることは明らかである。
　したがって、引用発明の「ＢＢ遊技状態（ＲＴ３）以外の遊技状態（ＲＴ０（再遊技低確率状態）、ＲＴ１（再遊技高確率状態）又はＲＴ２（特別役１内部当選状態））においては、ＡＴ抽選に当選したときに、遊技者にとって有利となる情報を報知するＡＴ状態となるようにする第１副制御部４００」は、本件補正発明の「前記条件許容手段が前記移行条件の成立を許容する場合に、前記移行条件の成立を契機として、通常遊技状態に比して遊技者に有利な状態での遊技となる有利遊技状態に制御する制御手段」としての機能を有する。
エ　引用発明において、「スタートレバーセンサのＨレベルを検出」するのは、スタートレバーの操作（本件補正発明の「開始操作」に相当）があった場合であることは明らかであるので、引用発明は、開始操作に基づいて、乱数発生器３１６よりラッチした乱数値を用いた抽選で、役の内部当選を判定するものである。また、引用発明の「役の内部当選」の「判定」は、本件補正発明の「当選役」の「決定」に相当する。さらに、引用発明の「再遊技役（再遊技１）」は、本件補正発明の「特定入賞役」に相当するから、引用発明の複数種類の役には特定入賞役が含まれる。
　したがって、引用発明の「センサ回路３２０がスタートレバーセンサのＨレベルを検出した場合には、この検出を示す信号を乱数発生回路３１６に出力し、乱数発生回路３１６は、そのタイミングにおける値をラッチし、抽選に使用する乱数値を格納し、乱数値を用いて内部抽選を行い、再遊技役（再遊技１〜再遊技４）を含む予め定められた複数種類の役の内部当選の当否を抽選により判定する抽選手段を備える主制御部３００」は、本件補正発明の「前記開始操作に基づいて当選役として特定入賞の発生を許容する特定入賞役を含む複数種類の入賞役の中から決定する当選役決定手段」としての機能を有する。
オ　引用発明の「複数のリールの回転を個別に停止させる」ことは、全てのリールが停止すれば表示結果が導出されるので、本件補正発明の「図柄表示手段に表示結果を導出させる」ことに相当する。
　したがって、引用発明の「複数のリールの回転を個別に停止させる複数の停止ボタンに対する各停止操作を受け付ける停止操作受付手段を備える主制御部３００」は、本件補正発明の「前記図柄表示手段に表示結果を導出させるための前記停止操作を受付ける導出操作受付手段」としての機能を有する。
カ　引用発明の「通常リプレイ（再遊技役１）に内部当選した場合、所定の停止操作順序を決定し、通常リプレイ（再遊技役１）は、いずれの停止操作順序でも入賞させ、抽選手段の抽選結果及び停止操作受付手段が受け付けた停止操作に基づいて、複数のリールの回転の停止に関する停止制御を行う停止制御手段を備える主制御部３００」と本件補正発明の「前記当選役決定手段の決定結果及び前記導出操作受付手段が受付けた前記停止操作に応じて前記図柄表示手段に表示結果を導出させる制御を行う手段であって、前記特定入賞役の決定がなされる場合、該特定入賞役の決定がなされることに対応して決定される特定の停止操作と前記導出操作受付手段が受付けた停止操作との一致を条件に特定停止態様による表示結果を導出させる一方、前記特定の停止操作と前記導出操作受付手段が受付けた停止操作との不一致を条件に通常停止態様による表示結果を導出させる導出制御手段」を備え、「前記導出制御手段は、前記特定入賞役について、前記特定停止態様による表示結果、及び前記通常停止態様による表示結果として同一の表示結果を導出させるように制御し、前記賞付与手段は、前記特定停止態様による入賞及び前記通常停止態様による入賞に対して同一の賞を遊技者に付与するように制御」することとを対比する。
　引用発明の「抽選手段の抽選結果」、「停止操作受付手段が受け付けた停止操作」は、それぞれ、本件補正発明の「当選役決定手段の決定結果」、「導出操作受付手段が受付けた前記停止操作」に相当する。また、引用発明の「複数のリールの回転の停止」は、全てのリールが停止したものが表示結果となるので、本件補正発明の「図柄表示手段に表示結果を導出」することに相当する。
　次に、本件補正発明においては、特定入賞役の決定がなされる場合、特定の停止操作と導出操作受付手段が受付けた停止操作との一致を条件に表示される「特定停止態様」と、前記特定の停止操作と前記導出操作受付手段が受付けた停止操作との不一致を条件に表示される「通常停止態様」とは、同一の表示結果であり、同一の賞を遊技者に付与するものであるから、結局は、特定入賞役の決定がなされる場合、いずれの停止操作であっても、当該特定入賞役が入賞することとなる。すると、引用発明は、通常リプレイ（再遊技役１）（本件補正発明の「特定入賞役」に相当）に内部当選した場合、所定の停止操作順序（本件補正発明の「特定の停止操作」に相当）が決定されるが、いずれの停止操作順序であっても、当該通常リプレイ（再遊技役１）が入賞するものであるから、本件補正発明における「特定の停止操作と前記導出操作受付手段が受付けた停止操作との一致を条件に特定停止態様による表示結果を導出させる」こと（引用発明において、「所定の停止操作順序」と遊技者が行った「停止操作順序」が一致した場合に「通常リプレイ（再遊技役１）」を入賞させること）及び「特定の停止操作と前記導出操作受付手段が受付けた停止操作との不一致を条件に通常停止態様による表示結果を導出させる」こと（引用発明において、「所定の停止操作順序」と遊技者が行った「停止操作順序」が不一致の場合に「通常リプレイ（再遊技役１）」を入賞させること）を備えているといえる。
　以上より、引用発明では、「所定の停止操作順序」と遊技者が行った「停止操作順序」が一致した場合に入賞させる「通常リプレイ（再遊技役１）」（本件補正発明の「特定停止態様」に相当）、及び「所定の停止操作順序」と遊技者が行った「停止操作順序」が不一致の場合に入賞させる「通常リプレイ（再遊技役１）」（本件補正発明の「通常停止態様」に相当）は、同一の表示結果（「通常リプレイ（再遊技役１）」）となり、同一の賞（リプレイ）が付与されるといえる。
　したがって、引用発明の「通常リプレイ（再遊技役１）に内部当選した場合、所定の停止操作順序を決定し、通常リプレイ（再遊技役１）は、いずれの停止操作順序でも入賞させ、抽選手段の抽選結果及び停止操作受付手段が受け付けた停止操作に基づいて、複数のリールの回転の停止に関する停止制御を行う停止制御手段を備える主制御部３００」は、本件補正発明の「前記当選役決定手段の決定結果及び前記導出操作受付手段が受付けた前記停止操作に応じて前記図柄表示手段に表示結果を導出させる制御を行う手段であって、前記特定入賞役の決定がなされる場合、該特定入賞役の決定がなされることに対応して決定される特定の停止操作と前記導出操作受付手段が受付けた停止操作との一致を条件に特定停止態様による表示結果を導出させる一方、前記特定の停止操作と前記導出操作受付手段が受付けた停止操作との不一致を条件に通常停止態様による表示結果を導出させる導出制御手段」としての機能を有し、「前記導出制御手段は、前記特定入賞役について、前記特定停止態様による表示結果、及び前記通常停止態様による表示結果として同一の表示結果を導出させるように制御し、前記賞付与手段は、前記特定停止態様による入賞及び前記通常停止態様による入賞に対して同一の賞を遊技者に付与するように制御」するものである。
キ　引用発明において、表示される「図柄組合せ」が入賞役に入賞していると「メダル」を払い出すことは、本件補正発明において、「図柄表示手段に導出される表示結果」に基づいて遊技者に「賞」を付与することに相当する。
　したがって、引用発明の「入賞役に対応する図柄組合せが表示され、払い出しのある何らかの入賞役に入賞していれば、その入賞役に対応する枚数のメダルを払い出すメダル払出処理を実行する主制御部３００」は、本件補正発明の「前記図柄表示手段に導出される表示結果に基づいて賞を遊技者に付与する制御を行う賞付与手段」としての機能を有している。
ク　引用発明の「ＡＴ状態では、ＲＴ１（再遊技高確率状態）において通常リプレイ（再遊技役１）に内部当選した場合には、主制御部３００から送信された停止操作順序（具体的には第１停止操作に関する情報）に沿った停止ボタンナビ演出を行う第１副制御部４００と、ＲＴ１（再遊技高確率状態）の通常リプレイに内部当選した場合において、連続して３回、停止操作順序に関する指示と停止操作受付手段により受け付ける遊技者の実際の停止操作順序が一致した場合には、ＡＴ状態であると判断する主制御部３００」と、本件補正発明の「前記有利遊技状態の制御中、前記特定入賞役の決定がなされる場合に前記導出操作受付手段が受付けた停止操作が特定の停止操作と一致した一致回数を計数する計数手段」とを対比する。
　引用発明において、「ＡＴ状態」かつ「ＲＴ０（再遊技低確率状態）」の状態と、「ＡＴ状態」かつ「ＲＴ１（再遊技高確率状態）」の状態は、共に、「ＡＴ状態」でない「ＲＴ０（再遊技低確率状態）」の状態（通常遊技状態）よりも遊技者にとって有利な「有利遊技状態」である（上記ウ参照）。
　次に、引用発明の「通常リプレイ（再遊技役１）」は、本件補正発明の「特定入賞役」に相当する。また、引用発明の「停止操作受付手段により受け付ける遊技者による実際の停止操作順序」について、本件補正発明の「前記有利遊技状態の制御中、前記特定入賞役の決定がなされる場合に前記導出操作受付手段が受付けた停止操作が特定の停止操作と一致した一致回数を計数する計数手段」との構成における「導出操作受付手段が受付けた停止操作」とは、本件補正発明の明細書の段落【０１９７】、【０１９８】、図１１を参照すると、具体的には、ストップボタンの停止操作の順番のことであるので、引用発明の「停止操作受付手段により受け付ける遊技者による実際の停止操作順序」は、本件補正発明の「導出操作受付手段が受付けた停止操作」に相当する。さらに、引用発明の主制御部３００から第１副制御部４００に送信される「停止操作順序に関する指示」について、主制御部３００は、「停止操作順序に関する指示」と「停止操作受付手段により受け付ける遊技者の実際の停止操作順序」が一致したか否かに基づきＡＴ状態であるか否か判断しているが、実質的には、第１副制御部４００に「指示」した「停止操作順序」と「停止操作受付手段により受け付ける遊技者の実際の停止操作順序」が一致したか否かを判断していることは明らかである。ここで、本件補正発明の「特定の停止操作」は、上記のとおり、具体的には、ストップボタンの停止操作の順番のことであるので、引用発明の「停止操作順序に関する指示」は、本件補正発明の「特定の停止操作」に相当する。
　また、引用発明の主制御部３００は、連続して３回、「停止操作順序に関する指示」と「停止操作受付手段により受け付ける遊技者の実際の停止操作順序」が一致した場合には、ＡＴ状態であると判断するので、「停止操作順序に関する指示」と「停止操作受付手段により受け付ける遊技者の実際の停止操作順序」の一致回数を計数する「計数手段」の機能を備えていることは明らかである。
　したがって、引用発明は、「ＡＴ状態」かつ「ＲＴ１（再遊技高確率状態）」の状態（有利遊技状態）で、「通常リプレイ（再遊技役１）」（特定入賞役）に内部当選した場合、「遊技者による実際の停止操作順序」（導出操作受付手段が受付けた停止操作）が「停止操作順序に関する指示」（特定の停止操作）と一致した回数を計数する計数手段を備えているといえる。
　ここで、引用発明は、「ＡＴ状態」かつ「ＲＴ１（再遊技高確率状態）」の状態で一致した回数を計数し、別の「有利遊技状態」である「ＡＴ状態」かつ「ＲＴ０（再遊技低確率状態）」の状態では一致回数を計数しないところ、本件補正発明は、「前記有利遊技状態の制御中、・・・一致回数を計数する」との構成を有している。しかし、本件補正発明は、さらに、「前記有利遊技状態のうち前記第２有利遊技状態の制御中における前記一致回数が所定回数に達する特定条件の成立を契機として前記制御信号を出力する」と限定されているので、引用発明の「ＡＴ状態」かつ「ＲＴ１（再遊技高確率状態）」の状態のみにおいて一致した回数を計数するものと差異はない（下記コ参照）。
　よって、引用発明の「ＡＴ状態では、ＲＴ１（再遊技高確率状態）において通常リプレイ（再遊技役１）に内部当選した場合には、主制御部３００から送信された停止操作順序（具体的には第１停止操作に関する情報）に沿った停止ボタンナビ演出を行う第１副制御部４００と、ＲＴ１（再遊技高確率状態）の通常リプレイに内部当選した場合において、連続して３回、停止操作順序に関する指示と停止操作受付手段により受け付ける遊技者の実際の停止操作順序が一致した場合には、ＡＴ状態であると判断する主制御部３００」は、本件補正発明の「前記有利遊技状態の制御中、前記特定入賞役の決定がなされる場合に前記導出操作受付手段が受付けた停止操作が特定の停止操作と一致した一致回数を計数する計数手段」としての機能を有する。
ケ　引用発明の「ＡＴ状態であることを示すＡＴ信号として設定されている外部信号４」は、主制御部３００が、「ＡＴ状態」かつ「ＲＴ１（再遊技高確率状態）」の状態（有利遊技状態）において、ＡＴ状態と判断した場合に出力されるものであるから、本件補正発明の「前記有利遊技状態の制御中であることを特定可能な制御信号」に相当する。また、引用発明の主制御部３００は、当該「外部信号４」を出力するので、本件補正発明の「信号出力手段」の機能を備えているといえる。
　したがって、引用発明の「ＡＴ状態であると判断をした場合にＡＴ状態であることを示すＡＴ信号として設定されている外部信号４を出力する主制御部３００」は、本件補正発明の「前記有利遊技状態の制御中であることを特定可能な制御信号を遊技機外部に対して出力する信号出力手段」の機能を有する。
コ　引用発明の「第１副制御部４００は、ＡＴ状態においては、ＲＴ０（再遊技低確率状態）において特別役２（ＳＢ）に内部当選した場合には、停止ボタンナビ演出を実行し、ＲＴ１（再遊技高確率状態）において通常リプレイ（再遊技役１）に内部当選した場合には、主制御部３００から送信された停止操作順序（具体的には第１停止操作に関する情報）に沿った停止ボタンナビ演出を行い、主制御部３００は、ＲＴ１（再遊技高確率状態）の通常リプレイに内部当選した場合において、連続して３回、停止操作順序に関する指示と停止操作受付手段により受け付ける遊技者の実際の停止操作順序が一致した場合には、ＡＴ状態であると判断し、ＡＴ状態であると判断をした場合にＡＴ状態であることを示すＡＴ信号として設定されている外部信号４を出力する」ことと本件補正発明の「前記有利遊技状態には、第１有利遊技状態と、前記第１有利遊技状態とは異なる第２有利遊技状態と、があり、
　前記信号出力手段は、前記移行条件の成立後であって、前記有利遊技状態のうち前記第２有利遊技状態の制御中における前記一致回数が所定回数に達する特定条件の成立を契機として前記制御信号を出力する」こととを対比する。
　上記クに記載したとおり、引用発明の「ＡＴ状態」かつ「ＲＴ０（再遊技低確率状態）」の状態と、「ＡＴ状態」かつ「ＲＴ１（再遊技高確率状態）」の状態は、共に、「ＡＴ状態」でなく「ＲＴ０（再遊技低確率状態）」の状態（通常遊技状態）よりも遊技者にとって有利な「有利遊技状態」であり、これらの状態は、それぞれ、本件補正発明の「第１の有利遊技状態」、「第２の有利遊技状態」に相当する。
　また、上記ク、ケに記載したとおり、引用発明の主制御部３００は、「有利遊技状態の制御中、導出操作受付手段が受付けた停止操作が特定の停止操作と一致した一致回数を計数する計数手段」及び「信号出力手段」の機能を有している。
　そして、引用発明において、「ＡＴ状態」であれば、本件補正発明における「移行条件の成立後」であることは明らかであり（上記イ参照）、また、引用発明の主制御部３００は、「ＡＴ状態」かつ「ＲＴ１（再遊技高確率状態）」の状態（第２の有利遊技状態）で、連続して３回、停止操作順序に関する指示と遊技者の実際の停止操作順序が一致した場合には、ＡＴ状態であると判断し、ＡＴ信号として設定されている外部信号４を出力するものである。
　したがって、引用発明の「第１副制御部４００は、ＡＴ状態においては、ＲＴ０（再遊技低確率状態）において特別役２（ＳＢ）に内部当選した場合には、停止ボタンナビ演出を実行し、ＲＴ１（再遊技高確率状態）において通常リプレイ（再遊技役１）に内部当選した場合には、主制御部３００から送信された停止操作順序（具体的には第１停止操作に関する情報）に沿った停止ボタンナビ演出を行い、主制御部３００は、ＲＴ１（再遊技高確率状態）の通常リプレイに内部当選した場合において、連続して３回、停止操作順序に関する指示と停止操作受付手段により受け付ける遊技者の実際の停止操作順序が一致した場合には、ＡＴ状態であると判断し、ＡＴ状態であると判断をした場合にＡＴ状態であることを示すＡＴ信号として設定されている外部信号４を出力する」ことは、本件補正発明の「前記有利遊技状態には、第１有利遊技状態と、前記第１有利遊技状態とは異なる第２有利遊技状態と、があり、
　前記信号出力手段は、前記移行条件の成立後であって、前記有利遊技状態のうち前記第２有利遊技状態の制御中における前記一致回数が所定回数に達する特定条件の成立を契機として前記制御信号を出力する」ことに相当する。
サ　上記ア〜コから、本件補正発明と引用発明とは
「遊技者による開始操作が行われることに基づいて複数列の図柄を変動させて行う１回の遊技が図柄表示手段で開始され、１回の遊技の開始に基づき各列の図柄の変動が開始された後、遊技者による停止操作に基づいて対応する列の図柄が停止される遊技機において、
　遊技に関連して移行条件の成立を許容するか否かを決定する条件許容手段と、
　前記条件許容手段が前記移行条件の成立を許容する場合に、前記移行条件の成立を契機として、通常遊技状態に比して遊技者に有利な状態での遊技となる有利遊技状態に制御する制御手段と、
　前記開始操作に基づいて当選役として特定入賞の発生を許容する特定入賞役を含む複数種類の入賞役の中から決定する当選役決定手段と、
　前記図柄表示手段に表示結果を導出させるための前記停止操作を受付ける導出操作受付手段と、
　前記当選役決定手段の決定結果及び前記導出操作受付手段が受付けた前記停止操作に応じて前記図柄表示手段に表示結果を導出させる制御を行う手段であって、前記特定入賞役の決定がなされる場合、該特定入賞役の決定がなされることに対応して決定される特定の停止操作と前記導出操作受付手段が受付けた停止操作との一致を条件に特定停止態様による表示結果を導出させる一方、前記特定の停止操作と前記導出操作受付手段が受付けた停止操作との不一致を条件に通常停止態様による表示結果を導出させる導出制御手段と、
　前記図柄表示手段に導出される表示結果に基づいて賞を遊技者に付与する制御を行う賞付与手段と、
　前記有利遊技状態の制御中、前記特定入賞役の決定がなされる場合に前記導出操作受付手段が受付けた停止操作が特定の停止操作と一致した一致回数を計数する計数手段と、
　前記有利遊技状態の制御中であることを特定可能な制御信号を遊技機外部に対して出力する信号出力手段と、を備え、
　前記有利遊技状態には、第１有利遊技状態と、前記第１有利遊技状態とは異なる第２有利遊技状態と、があり、
　前記導出制御手段は、前記特定入賞役について、前記特定停止態様による表示結果、及び前記通常停止態様による表示結果として同一の表示結果を導出させるように制御し、
　前記賞付与手段は、前記特定停止態様による入賞及び前記通常停止態様による入賞に対して同一の賞を遊技者に付与するように制御し、
　前記信号出力手段は、前記移行条件の成立後であって、前記有利遊技状態のうち前記第２有利遊技状態の制御中における前記一致回数が所定回数に達する特定条件の成立を契機として前記制御信号を出力することを特徴とする遊技機。」の点で一致し、差異はない。
　よって、本件補正発明は、特許出願前に日本国内において、頒布された刊行物１に記載された発明である。
（４）請求人の主張
　請求人は、審判請求書において、「本願発明１と、引用文献２（審決における刊行物１）とは、本願発明１が「信号出力手段は、移行条件の成立後であって、有利遊技状態のうち第２有利遊技状態の制御中における一致回数が所定回数に達する特定条件の成立を契機として制御信号を出力する」という構成を備えているのに対して、引用文献２はそのような構成を備えていない点で相違している。」（第５頁第１３〜１７行）と主張している。
　しかしながら、上記のとおり、刊行物１に記載された発明の「ＡＴ状態」及び当該「ＡＴ状態」から移行する「ＡＴ状態」かつ「ＲＴ１（再遊技高確率状態）」の状態は、それぞれ、本件補正発明の「第１有利遊技状態」及び「第２有利遊技状態」に相当するから、刊行物１には、「第２有利遊技状態の制御中における一致回数が所定回数に達する特定条件の成立を契機として制御信号を出力する」ことが記載されているといえる。
　したがって、請求人の主張は採用することができない。
（５）小括
　上記のとおり、本件補正発明は、特許出願前に日本国内又は外国において、頒布された刊行物１に記載された発明である。
４．むすび
　よって、本件補正は、特許法第１７条の２第６項で準用する同法第１２６条第７項の規定に違反するものであり、同法第１５９条第１項で読み替えて準用する同法第５３条第１項の規定により却下されるべきものである。
　よって、上記補正の却下の決定の結論のとおり決定する。
第３　本願発明
　本件補正（平成２７年８月２２日付け手続補正）は、上記第２のとおり却下されたので、本願の請求項１に係る発明（以下、「本願発明」という。）は、平成２６年８月２２日付け手続補正書により補正された、上記第２の１において特許請求の範囲の請求項１に記載された事項により特定されるとおりのものである。
１．刊行物
　原査定の拒絶の理由で引用された刊行物１の記載事項は、前記第２の３（２）に記載したとおりである。
２．対比・判断
　本願発明は、前記第２の３で検討した本件補正発明から、「有利遊技状態」に関して、「通常遊技状態に比して」有利であり、「第１有利遊技状態」と「第２有利遊技状態」を有し、また、「第２有利遊技状態」において制御信号を出力するという限定事項を削除したものである。
　そうすると、本願発明の発明特定事項を全て含み、さらに他の事項を付加したものに相当する本件補正発明は、前記第２の３（３）において検討したとおり、刊行物１に記載された発明であるから、本願発明も同様の理由により、刊行物１に記載された発明である。
３．むすび
　以上のとおり、本願発明は、特許法第２９条第１項第３号の規定により特許を受けることができない。したがって、その余の請求項については検討するまでもなく、本願は拒絶されるべきものである。
　よって、結論のとおり審決する。